(57)【要約】【課題】本発明は故紙等によるパルプモウルド育苗ポットを縦横に複数並べ（例えば４×６個、５×４個等）隣接部を接続して１個のトレイ状に１度に抄製、乾燥し、乾燥トレイを自動スタッキング機により、自動的に積重ねて出荷し、かつポットの隣接接続部を手動で容易に分離することができるパルプモウルド育苗ポットを得ることを目的とする。【解決手段】パルプモウルドによる複数の逆截頭錐形ポット１の上端開口部１’にそれぞれフランジ２を形成し、該ポット１を縦横に並べ、隣接する上記ポットを接続してトレイを形成し、上記フランジの直下に隣接する上記ポットの対向面を接続するバリ部分を有し、上記フランジ２の中心線に沿って隣接ポットとの分離用ミシン目を形成し、上記ミシン目間に上記バリ部により隣接ポット間の接続架橋を形成してなるパルプモウルド育苗用ポット。【選択図】図１
2007089435.tif 000002
【特許請求の範囲】
【請求項１】
パルプモウルドによる複数の逆截頭錐形ポットの上端開口部にそれぞれフランジを形成し、該ポットを縦横に並べ、隣接する上記ポットを接続してトレイを形成し、
上記フランジの直下に隣接する上記ポットの対向面を接続するバリ部分を有し、
上記フランジの中心線に沿って隣接ポットとの分離用ミシン目を形成し、
上記ミシン目間に上記バリ部により隣接ポット間の接続架橋を形成してなるパルプモウルド育苗用ポット。
【請求項２】
上記ミシン目が上記フランジ及び上記バリ部に形成されてなる請求項１記載のパルプモウルド育苗用ポット。
【請求項３】
パルプモウルドによる複数の逆截頭錐形ポットの上端開口部にそれぞれフランジを形成し、該ポットを縦横に並べ、隣接する上記ポットの対向面を接続するバリ部を残してトレイを抄製乾燥する工程と、
上記抄製工程と同時に上記フランジの中心線に沿ってミシン目を成形し、該ミシン目間に上記バリ部により上記対向面を接続する架橋部を形成するパルプモウルド育苗用ポット製造法。
【発明の詳細な説明】
【技術分野】
【０００１】
本発明は故紙等を原料とするパルプモウルドによる育苗ポット及びその製造法に関するものである。
【背景技術】
【０００２】
従来、サトウキビ残滓、藁、葦等を含むパルプ状材料をプレス成形した育苗ポットに土を収容し、種子を撒いて潅水し、花、野菜又は果実等の苗を或程度発芽させ、育苗ポットのまま畝に埋める方法がある。
【０００３】
上記育苗ポットは上述のようにパルプ状材料を金型で複数個をそれぞれ分離状態で同時プレス成形し、これを雄型内に支持した状態のまま熱風で乾燥成形してなるものであった。
【０００４】
上述のプレス成形によると、育苗ポットが１個宛分離しているため１個宛積重ねる（スタッキング）ため労力を要し、かつ多量包装には適しない（例えば特許文献１）。
【０００５】
そこでパルプモウルドによって複数の育苗ポットを1度に抄製又は抄造した後、常法により隣接ポットの対向面間に残留するバリ部をシャワーで洗浄分離し、これを乾燥させる方法が考えられたが、乾燥後複数縦横に並列したトレイ状育苗ポットをロボットアームで持上げると、隣接ポットのテーパ側面間の空間と、隣接ポットの自重による境界部の弯曲によりトレイ状育苗ポットの隣接ポットは対向側面が接し、必要以上に円弧状に弯曲するため、乾燥したトレイ状育苗ポットをロボットアーム等で機械的にスタッキング（積み重ね又は積層）することが困難であった。
【０００６】
【特許文献１】特開２００３−７０３６４号
【発明の開示】
【発明が解決しようとする課題】
【０００７】
本発明は故紙等によるパルプモウルド育苗ポットを縦横に複数並べ（例えば４×６個、５×４個等）隣接部に留るバリの量を増加し、該バリによって対向面を接続して１個のトレイ状に１度に抄製、乾燥し、乾燥トレイを自動スタッキング機により、自動的に積重ねて出荷し、かつポットの隣接接続部を手動で容易に分離することができるパルプモウルド育苗ポットを得ることを目的とする。
【課題を解決するための手段】
【０００８】
上記の目的を達成するため本発明は
第１にパルプモウルドによる複数の逆截頭錐形ポットの上端開口部にそれぞれフランジを形成し、該ポットを縦横に並べ、隣接する上記ポットを接続してトレイを形成し、上記フランジの直下に隣接する上記ポットの対向面を接続するバリ部分を有し、上記フランジの中心線に沿って隣接ポットとの分離用ミシン目を形成し、上記ミシン目間に上記バリ部により隣接ポット間の接続架橋を形成してなるパルプモウルド育苗用ポット、
第２に上記ミシン目が上記フランジ及び上記バリ部に形成されてなる上記第１発明記載のパルプモウルド育苗用ポット、
第３にパルプモウルドによる複数の逆截頭錐形ポットの上端開口部にそれぞれフランジを形成し、該ポットを縦横に並べ、隣接する上記ポットの対向面を接続するバリ部を残してトレイを抄製乾燥する工程と、上記抄製工程と同時に上記フランジの中心線に沿ってミシン目を成形し、該ミシン目間に上記バリ部により上記対向面を接続する架橋部を形成するパルプモウルド育苗用ポット製造法、
によって構成される。
【０００９】
従ってフランジの中心線に沿って隣接ポットの対向面間にミシン目刃が介在してバリが留り易くこれによって縦横に並べた複数の乾燥長方形トレイの中央部をロボットアームの自動挟み機によって把持し、上昇させてもトレイが上記乾燥バリによる架橋によって極度に弯曲することなく水平台上に既に載置した上記長方形トレイの直上に移送し、上記自動挟み機を開くと落下して水平台上の上記トレイに積み重ねられ（スタッキング）、複数積み重ねて包装出荷される。
【００１０】
育苗農家又は試験場では上記トレイを１枚毎そのまま又はミシン目から各ポットを分離して、各ポット内に土壌を収容し、播種して潅水し、発芽、苗の育成を待って、畝にトレイ又はポットのまま植付け、そのまま花、果実、その他の園芸植物を育成する。
【００１１】
畝内のトレイ又はポットは畝内で土壌と化して根の進長に影響はない。
【発明の効果】
【００１２】
本発明は上述のように構成したので縦横に接続した複数のパルプモウルド育苗ポットを一度に抄製又は抄造し、かつスタッキング容易であるため量産容易である。
【発明を実施するための最良の形態】
【００１３】
複数の逆截頭錐形ポット用雄網型ａを縦横に水平に並べ、上端開口部を接続用フランジ用網型ａ’で接続して一体とし、
フランジ用網型ａ’にはその中心線に沿って図２（ハ）図に示すミシン目刃５’，５’を支持し、該刃５’，５’をフランジ用網型ａ’の下方に突出させる。ミシン目刃５’，５’の上部は図２（ハ）図のように直線刃５”とし、下部を波形刃５”とすることができる。
上記網型ａ，ａ’に真空吸引用多孔雄型ｂを嵌合してパルプ液収容槽内に挿入する。
パルプ液は新聞、雑誌等の故紙約３重量％、水約９７重量％の撹拌混合液であって、上記故紙は繊維に分解する。
【００１４】
このようにしたパルプ液には紙又は故紙重量に対し１〜５重量％（固形分換算）の撥水剤を添加する。撥水剤にはロジン乳化液等が用いられる。
【００１５】
上記繊維は上記撥水剤によって被覆され、上記繊維重量の０．３重量％以下では水による繊維間の結合が少なく、潅水により速やかに崩解し、繊維重量の１．５重量％以上では繊維間の間隙が低減し、透水性が低下し、根の貫通が低下した。
【００１６】
上記ポット用雄網型ａ及び上記フランジ用雄網型ａ’よりなる雄網型にバキューム吸引用多孔雄型ｂを嵌合させて、これを上記パルプ液内に浸漬し、上記雄型から上記パルプ液をバキュームにより吸引することによって上記ポット用及びフランジ用雄網型ａ，ａ’にパルプ液内の上記繊維を一定厚さに抄製することができる。
上記ミシン目刃５’，５’と隣接ポット用雄網型ａ，ａ間には図２（ロ）図に示すようにミシン目刃５’，５’を介在して幅又は空間が狭くなり、バリが溜り易く、ミシン目刃５’，５’の間には隣接ポット用網型ａ，ａ間に直接バリが生じ、このバリによって隣接ポット１，１間の架橋部４，４を形成する。
【００１７】
その後上記雄網型ａ，ａ’及び上記多孔雄型ｂを空気中に上昇し、ベルトコンベア上に移動させて、上記多孔雄型ｂから空気を排出すると、上記雄網型ａ，ａ’の外周面に抄製又は抄造された一定厚の逆截頭錐形ポット１が上記ミシン目５’，５’の中間のフランジ２及び上記ミシン目５’，５’の中間のバリ架橋部（接続部４）によって縦横に接続され、トレイ３状となって、上記ベルトコンベア上に分離下降して載置され、該コンベアによって乾燥炉内に搬送される。
【００１８】
乾燥炉から搬出された上記トレイ３状接続ポット１は中央部を挟持して持上げられ水平台上の既乾燥トレイ３上に図４仮想線で示すように水平に積み重ね（スタッキング）られるが、直立させた状態で横圧板で押圧してスタッキングされる。
【００１９】
上記フランジ網型ａ’の下面中心部には図２（ロ）図に示すように一定間隔に複数の刃５’，５’を設けて、該刃５’，５’によってミシン目５，５が形成される。
【００２０】
上記ミシン目５，５間には隣接するポット１，１の対向面１”，１”を一体に接続するバリによる架橋４によって、乾燥後ポット１，１の対向面１”，１”を該架橋４，４によって一体に接続し、乾燥状態において隣接ポット１，１をほぼ水平に保持することができる（図３はその状態を示す）。又上記バリはミシン目５，５の介在のため空間が狭くなってバリの量、高さが増加する。
【産業上の利用可能性】
【００２１】
本発明の上記トレイ３又は単一の上記ポット１内に土を収容し、これを恒温ビニルハウス内の台上に並列し、播種して潅水することにより発芽して苗を得ることができる。
この苗は上記トレイ３又は単一のポット１のまま畝等の土壌に埋込んで植付けることができる。
【図面の簡単な説明】
【００２２】
【図１】本発明のパルプモウルド育苗ポットのトレイを示す斜視図である。
【図２】（イ）図は単一の上記ポットの斜視図、（ロ）図はフランジ中心部に配置したミシン目形成用刃の側面図、（ハ）図は（ロ）図Ａ−Ａ線によるミシン目刃の縦断側面図である。
【図３】隣接ポット、フランジ及び接続部分の側面図である。
【図４】乾燥した上記トレイのスタッキング状態側面図である。
【図５】従来の乾燥トレイ持ち上げ状態の側面図である。
【符号の説明】
【００２３】
１        逆截頭錐形ポット
１’      上端開口部
２        フランジ
３        トレイ
４        架橋部分
５        分離用ミシン目
【図１】
2007089435.tif 000003
【図２】
2007089435.tif 000004
【図３】
2007089435.tif 000005
【図４】
2007089435.tif 000006
【図５】
2007089435.tif 000007